(57)【特許請求の範囲】
【請求項１】
プレストークスイッチを有するハンドセットが複数接続された無線装置であって、
前記ハンドセットのそれぞれに対応させ、使用中であることを示す第１のフラグと使用中でないことを示す第２のフラグのいずれかを記憶する記憶部と、
前記ハンドセットのそれぞれに対応するフラグが全て前記第２のフラグである状態からいずれかのハンドセットが操作されたとき、当該ハンドセットに対応するフラグを前記第１のフラグに書き換える手段と、
前記記憶部に記憶されたフラグを判定すると共に、前記第１のフラグが対応付けられたハンドセットのプレストークスイッチが操作されて入力された音声信号のみ無線送信する手段と、
を備えることを特徴とする無線装置。
【請求項２】
前記ハンドセットは表示部またはスピーカの少なくともいずれかを備え、
前記無線装置は、前記第１のフラグが対応付けられたハンドセットの表示部またはスピーカの少なくともいずれかを制御し、当該ハンドセットが使用中であることを報知する手段を備えることを特徴とする請求項１に記載の無線装置。
【請求項３】
前記第１のフラグが対応付けられたハンドセットの操作の有無をモニタし、操作の無い時間が所定値以上になる時は、当該ハンドセットに対応付けられている前記第１のフラグを前記第２のフラグに書き換える手段を備えることを特徴とする請求項１または請求項２に記載の無線装置。
【請求項４】
プレストークスイッチを有するハンドセットが複数接続された無線装置のハンドセットの制御方法であって、
前記ハンドセットのそれぞれに対応させ、使用中であることを示す第１のフラグと使用中でないことを示す第２のフラグのいずれかを記憶部に記憶し、
前記ハンドセットのそれぞれに対応するフラグが全て前記第２のフラグである状態からいずれかのハンドセットが操作されたとき、当該ハンドセットに対応するフラグを前記第１のフラグに書き換え、
前記記憶部に記憶されたフラグを判定すると共に、前記第１のフラグが対応付けられたハンドセットのプレストークスイッチが操作されて入力された音声信号のみ無線送信するように制御することを特徴とする無線装置の制御方法。
【請求項５】
前記第１のフラグが対応付けられたハンドセットの表示部またはスピーカの少なくともいずれかを制御し、当該ハンドセットが使用中であることを報知するように制御することを特徴とする請求項４に記載の無線装置の制御方法。
【発明の詳細な説明】
【技術分野】
【０００１】
本発明は、無線装置に関し、特に、複数のハンドセットを有する無線装置および複数のハンドセットを有する無線装置のハンドセットの制御方法に関するものである。
【背景技術】
【０００２】
現在、実用化されているデジタル無線システムの一つとして、標準規格ARIB STD-T79（Association of Radio Industries and Businesses-T79）（例えば、非特許文献１参照）で定められている移動通信システム、あるいは、標準規格ARIB STD-T61（Association of Radio Industries and Businesses-T61）（例えば、非特許文献２参照）で定められている狭帯域デジタル通信システム等がある。これらデジタル通信システムは、複数の基地局および多数の無線端末装置からなるシステムが普通である。ここで無線端末装置とは、車両等に搭載された車載無線機や携帯無線機あるいは固定無線機等が含まれる。このデジタル通信システムは、基地局の通信エリア内にある複数の無線端末装置と基地局間、あるいは基地局を経由した無線端末装置間、あるいは無線端末装置間の直接通信等の通信接続サービス、あるいは、通信エリアの外の無線端末装置と通信エリア内の無線端末装置との通信接続サービスが行なわれるように構成されたシステムが知られている。
【０００３】
図５は、従来の無線システムの一例を示す概略図である。図５において、５０１は、基地局（統制局を含む場合もある。）、５０２−１、５０２−２、・・５０２−Ｎは、例えば車載無線装置を搭載された車両等の移動局である。なお、移動局を代表する場合は、移動局５０２と称する。５０３は、基地局５０１と各移動局５０２とが通信できる通信エリアを示している。そして、ここに示す通信方式は、例えば、上り方向と下り方向にそれぞれ２波（複信方式）を使用するプレストーク方式の通信方式である。例えば、移動局５０２−１と移動局５０２−２とは、基地局５０１を介して通信が行われ、上り回線は、周波数Ｆが、また、下り回線は、周波数ｆが使用される。そして、移動局５０２−１と移動局５０２−２が相互に通信している場合は、他の移動局５０２は、電波を発射することはできない。しかし、基地局からの例えば、音声（下り回線ｆ）は、モニタすることができる。なお、これについては、上述した標準規格（ARIB-STD）で定められているので、詳細については省略する。
【０００４】
上述のようなデジタル通信システムで使用される無線端末装置、例えば、車載無線装置では、無線装置１台に対してハンドセットと呼ばれるマイク操作機（以下、これをハンドセットと称する。）は、１台接続されている。そして、車載無線装置は、このハンドセットにより呼び出す相手の局番号の入力、発呼操作、各種設定、あるいは、単信通信時には、プレストーク通信を行う等の機能を有している。また、このハンドセットには、マイクやスピーカが内蔵されており、送受信装置として使用するように構成されている。
【０００５】
而して、防災や救急などの緊急時に使用する無線装置においては、取扱によってハンドセットを破損したり、あるいは故障したりする可能性が多多存在する。更に非常事態の場合とか、緊急事態の場合などでは、このハンドセットが使用できなかったり、操作ができなくなるようなことがあってはならない。このため予備のハンドセットを含め、複数のハンドセットを無線装置に接続して使用したいというニーズがある。しかしながら、複数のハンドセットから同時に入力されたりすると、１台の無線装置に対して複数のハンドセットを制御をすることなり、ハンドセットの操作が困難となる。また、何らかの要因により、あるハンドセットでプレストークスイッチが押され続けた状態になってしまっていると、他のハンドセットから通話ができなくなってしまうと言うことにもなり、取扱の優れた、信頼性の高い複数のハンドセットを有する無線装置の実現が望まれている。
【０００６】
【特許文献１】特開平９−２４７０４１号公報
【非特許文献１】標準規格ARIB STD-T79：市町村デジタル移動通信システム  社団法人  電波産業会
【非特許文献２】標準規格ARIB STD-T61：狭帯域デジタル通信方法  社団法人  電波産業会
【発明の開示】
【発明が解決しようとする課題】
【０００７】
上述したように複数のハンドセットから同時に入力されたりすると、１台の無線装置に対して複数のハンドセットを制御をすることなり、ハンドセットの操作が困難となる。また、何らかの要因により、あるハンドセットでプレストークスイッチが押され続けた状態になってしまっていると、他のハンドセットから通話ができなくなってしまうということにもなり、取扱の優れた、信頼性の高い複数のハンドセットを有する無線装置の実現が望まれている。
【０００８】
本発明の目的は、取扱の優れた、信頼性の高い複数のハンドセットを有する無線装置および複数のハンドセットを有する無線装置のハンドセットの制御方法を提供することである。
【０００９】
本発明の他の目的は、複数のハンドセットに優先順位を設けた複数のハンドセットを有する無線装置および複数のハンドセットを有する無線装置のハンドセットの制御方法を提供することである。
【００１０】
本発明の他の目的は、一定時間以上キーが押されている場合に警報を鳴らす、あるいは、解除できる複数のハンドセットを有する無線装置および複数のハンドセットを有する無線装置のハンドセットの制御方法を提供することである。
【００１１】
本発明の更に他の目的は、マイク入力の混信やノイズを回避できる複数のハンドセットを有する無線装置および複数のハンドセットを有する無線装置のハンドセットの制御方法を提供することである。
【課題を解決するための手段】
【００１２】
本発明は、送信手段と、受信手段と、複数のハンドセットと、上記送信手段と上記受信手段および上記複数のハンドセットを制御する制御装置を具え、上記制御装置は、キーセレクタと音声セレクタを有し、上記キーセレクタは、上記ハンドセットからのキーデータを識別するハンドセット識別部を有し、上記音声セレクタは、上記ハンドセット識別部からの情報に基づいて上記複数のハンドセットの内の１つを選択するように構成される。
【００１３】
また、本発明の複数のハンドセットを有する無線装置において、更に、符号化部および圧縮部を有し、上記複数のハンドセットの各々は、少なくともキーボタンと、マイクを有し、上記キーボタンからのキーデータは、上記キーセレクタの上記ハンドセット識別部で識別され、上記識別されたハンドセットのマイクからの入力信号は、上記符号化部でデジタル信号に変換され、上記音声セレクタを介して上記圧縮部で圧縮され、上記送信手段に供給されるように構成される。
【００１４】
また、本発明の複数のハンドセットを有する無線装置において、上記セレクタは、更に、記憶部を有し、上記キーセレクタの記憶部は、上記ハンドセットからのキー入力をキーデータとして記憶するレジスタテーブルを具え、上記レジスタテーブルに上記複数のハンドセットのキーデータを記憶するように構成される。
【００１５】
また、本発明の複数のハンドセットを有する無線装置において、上記制御装置は、更に、制御部およびタイマー装置を有し、上記制御部は、上記ハンドセットのキー入力の有無をモニタすると共に、上記タイマー装置が上記キー入力の無い時間を計測し、上記キー入力の無い時間が所定値以上になる時は、上記制御部は、上記ハンドセットをオフするように構成される。
【００１６】
また、本発明は、送信手段と、受信手段と、複数のハンドセットと、上記送信手段と上記受信手段および上記複数のハンドセットを制御する制御装置を具えた複数のハンドセットを有する無線装置において、上記制御装置は、上記複数のハンドセットからのキー入力によるキーデータから上記キー入力が上記複数のハンドセットのいずれのハンドセットのキー入力かを識別し、上記識別されたハンドセットからの音声信号を上記送信手段に供給するように制御するように構成される。
【００１７】
また、本発明は、複数のハンドセットを有する無線装置の複数のハンドセットの制御方法において、上記制御部は、上記ハンドセットのキー入力の有無をモニタすると共に、上記識別されたハンドセットの上記キー入力の無い時間を計測し、上記キー入力の無い時間が所定値以上になる時、上記ハンドセットをオフするように制御する。
【発明の効果】
【００１８】
以上説明したように、本発明によれば、1台の無線装置に対して複数のハンドセットが接続されても、それぞれのハンドセットの制御が容易に行うことができる。また、有効なハンドセットのみのマイク入力を有効にでき、マイク入力の混信やノイズを回避できる。更に、特定のハンドセットにおいてキーが押され続けた状態になることを回避することができる等の効果がある。
【発明を実施するための最良の形態】
【００１９】
図２は、本発明の一実施例の概略構成を示すブロック図である。図２に示される装置は、例えば、車載無線装置を示しているが、車載無線装置に限定されるものではなく、一般の無線装置にも適用できることは言うまでもない。図２において、２０１（５０２と同じ。）は、車載無線装置、２０２は、送信用無線機であり、例えば、車載無線装置２０１からの信号を基地局５０１に無線キャリアＦで送信する。２０３は、受信用無線機であり、基地局５０１から送られてくる無線キャリアｆの信号を受信する。２０４は、制御装置であり、送信用無線機２０２、受信用無線機２０３および複数のハンドセット２０５−１、２０５−２、・・２０５−Ｐを制御するためのものである。
【００２０】
図１は、図２に示す本発明の一実施例の制御装置２０４およびハンドセット２０５−１、２０５−２、２０５−３の具体的な構成を示す図である。ここで、ハンドセット２０５−１、２０５−２、２０５−３を代表する場合は、ハンドセット２０５と称する。なお、図１においては、説明の都合上、３台のハンドセットが接続された場合が示されているが、これに限定されるものではない。図１において、ハンドセット２０５−１は、スピーカ１０１−１、表示部１０２−１、キーボタン１０３−１、マイク１０４−１を具えている。ハンドセット２０５−２および２０５−３についても同様である。
【００２１】
そして各ハンドセット２０５は、データ伝送路Ｄ１、Ｄ２、Ｄ３で制御装置２０４の、例えば、ＦＰＧＡ（Field Programmable Gate Array）１１０と接続されている。なお、データ伝送路Ｄ１、Ｄ２、Ｄ３は、双方向にデータあるいは制御データが伝送される伝送路である。１０５−１、１０５−２、１０５−３は、音声符号化部、例えば、マイク１０４からのアナログ音声データを音声デジタルＰＣＭ（Pulse Code Modulation）信号に変換するＰＣＭ−ＣＯＤＥＣであり、音声信号をデジタル変換し、音声セレクタ１１４に供給する。ＦＰＧＡ１１０は、ＫＥＹセレクタ１１１と音声セレクタ１１４で構成され、また、ＫＥＹセレクタ１１１は、記憶部１１２およびハンドセット識別部１１３を有している。１０６は、マイクロ・プロセッサ・ユニットのような制御部（ＭＰＵ）であり、制御装置２０４内部のＦＰＧＡ１１０、音声符号化部１０５およびハンドセット２０５等を適宜制御するものである。１０７は、音声デジタルＰＣＭ信号を、例えば、圧縮する圧縮部であり、例えば、音声ＣＯＤＥＣで構成されている。１０８は、タイマー装置である。
【００２２】
ここで、ハンドセット２０５の内の１台、例えば、ハンドセット２０５−１の動作について図３を用いて説明する。まず、ハンドセット２０５−１のキーボタン１０３−１のＯＮボタンを押し、マイク１０４−１から音声を入力すると、ハンドセット２０５−１からキーデータＤ１および音声データが出力され（ステップ３０１）、キーデータＤ１は、ＦＰＧＡ１１０に入力される（ステップ３０３）。
【００２３】
一方、音声データは、符号化部１０５−１によりデジタル信号変換され（ステップ３０２）、ＦＰＧＡ１１０に入力される（ステップ３０３）。ＦＰＧＡ１１０に入力されたキーデータおよび音声データは、それぞれキーセレクタ１１１および音声セレクタ１１４に入力される（ステップ３０４、３０５）。
【００２４】
キーセレクタ１１１に入力されたキーデータは、キーデータと割り込み信号を制御部（ＭＰＵ）１０６に出力する（ステップ３０６）。また、音声セレクタ１１４に入力されたデジタル音声データは、圧縮部１０７に出力され（ステップ３０７）、更に、圧縮部１０７で、圧縮され、制御部（ＭＰＵ）１０６に出力される（ステップ３０８）。
【００２５】
以上の動作により、ハンドセット２０５−１が選択され、マイク１０４−１からの音声信号がＦＰＧＡ１１０で選択され、制御部１０６を介して送信用無線機２０２に供給される。送信用無線機２０２では、この音声信号を所定の送信用の信号に変換し、かつ、所定の無線キャリアに載せて基地局５０１に送信することができる。
【００２６】
また、基地局５０１からの信号の受信については、受信用無線機２０３で受信された信号は、制御部７０４を経由してハンドセット２０５−１に送られ、スピーカ１０１−１あるいは表示部１０２−１から出力されるが、これについては従来周知の技術であり、また、本発明の直接関係がないので、詳細な説明は省略する。
【００２７】
次に、複数のハンドセット２０５が接続されている場合のハンドセット２０５の制御方法について図１および図４を用いて説明する。まず、ＫＥＹセレクタ１１１の記憶部１１２には、ハンドセット２０５−１（Ｎｏ．１と称する。）、２０５−２（Ｎｏ．２と称する。）および２０５−３（Ｎｏ．３と称する。）からのキーデータが記録されるレジスタ、例えば、表１に示すレジスタテーブルが設けられている。
【００２８】
【表１】
0004551314.tif 000002
【００２９】
この表１のレジスタテーブルは、最初にキーボタン１０３、例えば、送信ボタンＯＮの操作をしたハンドセット２０５が登録、例えば、フラグ“１”が書込まれ、２番目以降のキーボタンを操作しても、登録されない（最先の操作優先）、即ち、フラグ“０”が登録されるように構成されている。表１においては、ハンドセットＮｏ．１が、まず登録され、他のハンドセット２０５からのキー入力は、登録されていないことを示している。
【００３０】
さて、図４において、車載無線装置がステップ４０１で、電源を投入する。電源が投入されると、制御部１０６は、ＫＥＹセレクタ１１１の記憶部１１２に記憶されているレジスタテーブルの内容を初期化する。即ち、全てのハンドセットの動作をＯＦＦし、同時に、キーデータのフラグを“０”にする（ステップ４０２）。次に、操作者がハンドセット２０５のキーボタン１０３を操作する、例えば、ハンドセットＮｏ．１のキーボタン１０３の送信ボタンＯＮの操作をすると、ハンドセットＮｏ．１のキーデータが伝送路Ｄ１から記憶部１１２のレジスタテーブルにフラグ“１”を登録する（表１の状態となる。）。
【００３１】
この状態で、制御部１０６は、レジスタテーブルの内容をチェック（判定）する。即ち、まず、表１のレジスタテーブルのハンドセットＮｏ．１にキーデータ１が有るかどうかをチックする（ステップ４０３）。キーデータ１のフラグが“０”の場合には、ハンドセットＮｏ．２にキーデータ２が有るかどうかをチックする（ステップ４０４）。キーデータ２のフラグが“０”の場合には、ハンドセットＮｏ．３にキーデータ３が有るかどうかをチックする（ステップ４０５）。この操作が繰返されて、常にどのハンドセットからキー入力があるかをチェックする。
【００３２】
本実施例の場合（表１の場合）では、ハンドセットＮｏ．１にキーデータ１が存在するので、ステップ４０６に進む。ステップ４０６では、ハンドセットＮｏ．１をＯＮにする。即ち、このハンドセットが選択されたことをハンドセットＮｏ．１の操作者に知らせる。知らせる方法としては、種々の方法があるが、例えば、制御部１０６が表示部１０２−１に「接続」と表示したり、あるいは、スピーカ１０１−１からブザーあるいは音声で知らせることもできる。同時に、ＫＥＹセレクタ１１１は、キーデータ１をキーデータとして制御部（ＭＰＵ）のレジスタに出力する（ステップ４０７）。そして、制御部（ＭＰＵ）１０６に割り込みを送出する（ステップ４０８）。この割り込みは、制御部（ＭＰＵ）１０６が他のタスクを実行している時に、ハンドセットＮｏ．１からのキー入力を優先させるためである。
【００３３】
これによってキー入力処理を実行する（ステップ４０９）。このキー入力処理とは、操作者がハンドセット２０５を操作して、プレストークスイッチを操作したり、キーボタンを操作した状態を言う。例えば、プレストークスイッチを操作して、マイクから音声を入力した場合では、制御部１０６がＦＰＧＡ１１０を制御して音声信号を送出する動作である。即ち、制御部１０６の指令信号でハンドセット識別部１１３が動作し、記憶部１１２に記憶されている表１記載のレジスタテーブルからキー入力されているハンドセットのＮｏ．を読み出す。表１の場合、ハンドセットＮｏ．１にキーデータ１が認識されるので、ハンドセット識別部１１３は、このハンドセットＮｏ．１を読み出し、音声セレクタ１１４を駆動し、ハンドセットＮｏ．１（２０５−１）からの音声信号が入力される符号化部１０５−１の出力を圧縮部１０７に出力する。なお、音声セレクタ１１４は、例えば、交換回路またはスイッチ回路で構成され、ハンドセット識別部１１３からの選択信号でハンドセットＮｏ．１、Ｎｏ．２、Ｎｏ．３の内の１つを選択し、圧縮部１０７に出力する動作をする。従って、今回の場合、ハンドセット２０５−１のマイク１０４−１から入力された音声信号は、符号化部１０５−１でデジタル信号に変換され、音声セレクタ１１４、データ圧縮部１０７を介して制御部１０６に入力される。制御部１０６に入力され音声データは、所定の信号処理および所定の無線キャリアで、送信用無線機２０２から基地局５０１に送信される。
【００３４】
次に、ステップ４１０では、ハンドセットＮｏ．１の使用の終了のキーボタンがオフされたかどうかを判断する。即ち、ハンドセット２０５−１の操作者が通話終了時に、キーボタン１０３−１をＯＦＦする（ＹＥＳと判断）ことによって、例えば、表２のようにハンドセットＮｏ．１のキーデータのフラグが“０”に書き換えられる。
【００３５】
【表２】
0004551314.tif 000003
【００３６】
従って、制御部１０６は、表２に示すレジスタテーブルを定期的に、例えば、数秒から数分単位でチェック（判定）することによってハンドセットＮｏ．１が使用中かどうかが分かる。使用中、即ち、キーデータ１にキーデータがある場合には、ステップ４０７に戻り、処理を継続する。キーデータ１にキーデータがない、即ち、表２のハンドセットＮｏ．１のキーデータ１にキーデータ“０”が書込まれると、ステップ４３２に進み、ハンドセット２０５−１は、制御部１０６でオフされ、ステップ４０３に戻る。ハンドセット５０２−１がオフでない（ＮＯ）と判断されると、ステップ４３０に進む。ステップ４３０以降については、後述する。
【００３７】
以上の動作は、ハンドセット２０５−２、２０５−３が使用された場合にも同様である。即ち、ステップ４０３でキーデータ１にキーデータがない場合、ステップ４０４に進み、キーデータ２（ハンドセット２０５−２）にキーデータが有る場合、ステップ４１５からステップ４１９に進む。ステップ４１５からステップ４１９は、ステップ４０６から４１０と同様な動作であるため、説明は省略する。
【００３８】
また、ステップ４０４でキーデータ２にキーデータがない場合、ステップ４０５に進み、キーデータ３（ハンドセット２０５−３）にキーデータが有る場合、ステップ４２０からステップ４２４に進む。ステップ４２０からステップ４２４は、ステップ４０６から４１０と同様な動作であるため、説明は省略する。
【００３９】
以上のようにして制御部１０６は、ＫＥＹセレクタ１１１の記憶部１１２に記憶されている表１に示すレジスタテーブルのチェック（判定）を周期的に繰返す。これによってハンドセット２０５−１、２０５−２および２０５−３のいずれが使用されても相互に混乱あるいは混信することはなく、安定にハンドセット２０５−１、２０５−２および２０５−３の使用が可能となる。なお、上記実施例では、３台のハンドセット２０５について説明したが、無線装置に複数のハンドセット２０５を接続した場合も同様に使用できることは言うまでもない。
【００４０】
次に、図４に示すステップ４３０からステップ４３２について説明する。ステップ４３０では、制御部１０６は、常に、ハンドセット２０５からのキー入力をモニタしている。そして、キー入力がありの場合には、ステップ４０７からステップ４１０およびステップ４３０の動作を繰返す。しかしながらキー入力がない場合、ステップ４３１に進む。
【００４１】
ステップ４３１では、キー入力なし時間をモニタし、キー入力なし時間が所定値、即ち、閾値Ｔ以下（ＮＯ）であれば、ステップ４３０に戻り、キー入力なし時間が所定値、即ち、閾値Ｔ以上（ＹＥＳ）であれば、ステップ４３２に進む。即ち、何らかの原因で、例えば、ハンドセット２０５−１のキー入力、例えば、プレストークスイッチが押されたままで、キー入力がない場合、制御部１０６は、ハンドセット２０５−１は、使用中と判断し、他のハンドセット２０５−２、２０５−３からのキー入力を受けつけない。従って、ハンドセット２０５−２、２０５−３は、何時まで待っても使用できないという事態が発生する。そのため、制御部１０６は、タイマ装置１０８を具え、ハンドセット２０５−１のキー入力をモニタし、キー入力が無い時点から時間のカウントを開始するように構成されている。なお、タイマ装置１０８は、制御部１０６がＭＰＵで構成されていることから、ＭＰＵが有するタイマ装置と共用することができる。そして、キー入力なし時間が所定値、即ち、閾値Ｔ以上（ＹＥＳ）、例えば、Ｔ＝１０分を設定すると、キー入力なし時間が１０分経過すると、制御部１０６は、強制的にハンドセットＮｏ．１（２０５−１）をオフする（ステップ４３２）。例えば、表１に示すレジスタテーブルのハンドセットＮｏ．１のキーデータ“１”を強制的に“０”に書き換える。これによって、他のハンドセット２０５−２、２０５−３からの入力が受けつけられる。なお、閾値Ｔは、システムの構成、使用目的等で種々変更が可能であり、実験的に定めるのが良い。また、この場合、ハンドセット２０５−１のスピーカから警報を鳴らし、操作者に知らせることもできる。
【００４２】
ハンドセット２０５−２および２０５−３のそれぞれのステップ４４０から４４２およびステップ４５０から４５２についてもハンドセット２０５−１のステップ４３０からステップ４３２と同様であるので、説明は省略する。
【００４３】
次に本発明の他の一実施例について説明する。上記実施例では、ハンドセット２０５からのキー入力をキーデータとして、例えば、表１に示すレジスタテーブルに記憶し、ハンドセット識別部で、例えば、図４に示すステップ４０３からステップ４０５のように周期的にレジスタテーブルの内容を判定し、どのハンドセットがキー入力したかを識別する方法について説明したが、本実施例では、複数のハンドセット２０５のそれぞれに、例えば、表３に示すようなハンドセットＩＤを付与することによっても容易にキー入力されたハンドセットを識別することが可能である。
【００４４】
【表３】
0004551314.tif 000004
【００４５】
表３において、ハンドセットＩＤとは、例えば、ハンドセット２０５−１は、００１、ハンドセット２０５−２は、００２、ハンドセット２０５−３は、００３と言うようにハンドセットのＩＤを定めておき、操作者が例えば、ハンドセット２０５−１（ＩＤ：００１）からキー入力すると、ハンドセット２０５−１のＩＤ００１が制御装置２０４の、例えば、ハンドセット識別部１１３に送られる。この場合、ハンドセット識別部１１３をハンドセット２０５のＩＤを認識する機能を持たせておけば、容易にハンドセット２０５−１（ＩＤ：００１）からのキー入力と識別できるので、記憶部１１２にレジスタテーブルを設けなくとも、容易にどのハンドセットからのキー入力かを知ることができる。
【００４６】
以上、本発明について詳細に説明したが、本発明は、ここに記載された複数のハンドセットを有する無線装置および無線装置の複数のハンドセットの制御方法の実施例に限定されるものではなく、上記以外の無線装置に広く適応することが出来ることは、言うまでも無い。
【図面の簡単な説明】
【００４７】
【図１】本発明の一実施例で使用される制御部の概略構成のブロック図を示す。
【図２】本発明の一実施例を示す概略構成のブロック図を示す。
【図３】本発明の原理を説明するための図である。
【図４】本発明の動作を説明するためのフローチャートを示す。
【図５】従来の無線システムの一例を示す概略図である。
【符号の説明】
【００４８】
１０１：スピーカ、１０２：表示部、１０３：キーボタン、１０４：マイク、１０５：符号化部、１０６：制御部、１０７：圧縮部、１０８：タイマ、１１０：ＦＰＧＡ、１１１：ＫＥＹセレクタ、１１２：記憶部、１１３：ハンドセット識別部、１１４：音声セレクタ、２０１：車載無線装置、２０２：送信用無線装置、２０３：受信用無線機、２０４：制御装置、２０５：ハンドセット、５０１：基地局、５０２：移動局、５０３：通信エリア。
【図１】
0004551314.tif 000005
【図２】
0004551314.tif 000006
【図３】
0004551314.tif 000007
【図４】
0004551314.tif 000008
【図５】
0004551314.tif 000009